(57)【特許請求の範囲】
【請求項１】
内部バッテリーにより駆動される音声検出手段、音声出力手段及び無線手段と、
前記内部バッテリーを充電するための充電器内に設けられた励磁コイルから発せられる磁束を検出可能な検出コイルと、
電磁誘導により前記検出コイルに生じる誘導起電力に基づいて前記内部バッテリーを充電する充電手段とを備えたコードレス通話装置であって、
前記誘導起電力を検知して前記コードレス通話装置が前記充電器に接近したのを検出する検出手段と、
前記検出手段の検出結果に基づいて、少なくとも前記音声検出手段の出力を切断する切断手段とを備えたコードレス通話装置。
【請求項２】
前記検出手段が、前記検出コイルの出力電圧を入力とする比較器であることを特徴とする請求項１に記載のコードレス通話装置。
【請求項３】
前記比較器の基準電圧が、前記内部バッテリーを充電するに必要な電圧よりも低く設定されてなることを特徴とする請求項２に記載のコードレス通話装置。
【請求項４】
前記切断手段が、前記音声検出手段の感度を低下させるかまたは前記音声検出手段の出力を他の回路から切り離すスイッチの少なくとも一方であることを特徴とする請求項１〜３のいずれか１に記載のコードレス通話装置。
【発明の詳細な説明】
【０００１】
【産業上の利用分野】
本発明は、コードレス通話装置に関するもので、より具体的にはハウリング防止に関するものである。
【０００２】
【従来の技術】
例えば親機と子機とを無線接続したコードレス電話機では、親機をベース機とし子機をハンディ機として手元において使用している。そして、図３に示すように一般に非使用時（待機中）の子機１は、充電器２の上に載置しておき、充電器２に設けられた充電端子２ａを介して子機１に内蔵されたバッテリーと導通させ、そのバッテリーを充電するようにしている。
【０００３】
また、子機１を充電器２から取り上げると、自動的にオフフック状態になり通信回路（外線／内線）が形成され、一方、子機１を充電器２にセットすると前記充電端子２ａが子機１に設けた充電端子（図示せず）と導通するのを検知し、通信回路がきれるようになっている。なお、係る通信回路のオン・オフは、子機１に設けたボタン操作部のスイッチを操作することによっても行えるようになっている。
【０００４】
【発明が解決しようとする課題】
しかしながら、上記した従来の装置では、通話終了後に子機１を充電器２にセットしようとして近づけると、充電器２の対向面で反射等して子機１のスピーカー１ａからマイク１ｂに回り込みが発生し、ハウリングを起こすことがある。
【０００５】
一方、子機１内にホール素子等からなる接近センサを実装し、その接近センサにて子機１と充電器２との距離が、上記ハウリングを生じる距離まで近付いたことを検出し、通信回路をきるようにすることも考えられる。しかし、係る構成にすると、新たに別途接近センサ等の検出回路を設けなければならないとともに、その接近センサを動作させるための手段を充電器２側にも設置しなければならず、構成が複雑・大型化してしまい、コスト高を招く。
【０００６】
本発明は、上記した背景に鑑みてなされたもので、その目的とするところは、上記した問題を解決し、構造が簡単かつ小型な構成でもって、子機等のコードレス通話装置が充電器に近づいていることを検出して、通信回路を切断したり、ハウリングの発生を抑制することができるコードレス通話装置を提供することにある。
【０００７】
【課題を解決するための手段】
上記した目的を達成するため、本発明に係るコードレス通話装置では、内部バッテリーにより駆動される音声検出手段、音声出力手段及び無線手段と、前記内部バッテリーを充電するための充電器内に設けられた励磁コイルから発せられる磁束を検出可能な検出コイルと、電磁誘導により前記検出コイルに生じる誘導起電力に基づいて前記内部バッテリーを充電する充電手段とを備えたコードレス通話装置であって、前記誘導起電力を検知して前記コードレス通話装置が前記充電器に接近したのを検出する検出手段と、前記検出手段の検出結果に基づいて、前記音声検出手段の出力を切断する切断手段とから構成した。
【０００８】
そして、好ましくは前記検出手段が、前記検出コイルの出力電圧を入力とする比較器から構成することで、さらに好ましくは前記比較器の基準電圧を、前記内部バッテリーを充電するに必要な電圧よりも低く設定することである。
【０００９】
また、前記切断手段が、前記音声検出手段の感度を低下させるかまたは前記音声検出手段の出力を他の回路から切り離すスイッチの少なくとも一方であるとより好ましい。
【００１０】
【作用】
所定の通話の終了後、通信装置を充電器にセットしようとし、完全にセットする前にある程度近づく（ハウリングを起こすような距離に近づく）と、励磁コイルから発せられる磁束が検出コイルを通るため、検出コイルに誘導起電力が発生する。そこで、検出手段にてその誘導起電力を検出すると、音声検出手段の出力を切断する。これによりハウリングが発生しない。
【００１１】
また、検出手段が比較器から構成された場合には、検出コイルに発生する誘導起電力（電圧）の値が、所定の基準値をこえたか否かにより簡単に一定距離範囲内に通信装置が来たか否かを知ることができる。しかも、その基準値を内部バッテリーを充電するに必要な電圧よりも低く設定した場合には、比較的充電器と通信装置が離れている時（通常の通話状態程は離れていない）でも検出することができ、確実にハウリングの発生が抑制される。
【００１２】
また、切断手段を、音声検出手段の感度を低下させるかまたは音声検出手段の出力を他の回路から切り離すスイッチの少なくとも一方とすると、いずれの場合でも、音声発生手段から音声検出手段への回り込みに伴うハウリング発生がより確実に抑制される。
【００１３】
【実施例】
以下、本発明に係るコードレス通話装置の好適な実施例を添付図面を参照にして詳述する。図１は本発明の好適な一実施例を示している。図示するように、子機１０には、音声検出手段たるマイク１１，音声出力手段たるスピーカー１２が通信手段たる無線回路１３に接続され、その無線回路１３に接続されたアンテナ１４を介して親機との間で通信を行い、所定の回線（外線／内線）の通話を行うようになっている。そして、各部１１〜１３は、バッテリ１５から電力供給を受けて動作する。
【００１４】
ここで本発明では、まず子機１０に内蔵されたバッテリ１５への充電を、電磁誘導による無接点充電方式により行うようにしている。すなわち、充電器１８は、内部所定位置に励磁コイル２０を設け、その励磁コイル２０に接続された電源ケーブル２１を商用電源２２に装着することにより、その商用電源２２から励磁コイル２０に対して交流電力が供給される。
【００１５】
そして、その励磁コイル２０により発せられる交流磁界を子機１０に内蔵された検出コイル２４で検出し、電磁誘導により検出コイル２４の両端に交流電力が発生する。よってその検出コイル２４の両端子間に、ダイオードブリッジからなる整流回路２５を接続し、さらに、その整流回路２５の出力に逆流防止ダイオード２６を介して上記バッテリ１５を接続するようにする。これにより、子機１０を充電器１８上にセットすると、上記励磁コイル２０と検出コイル２４が近接・対向し電磁誘導により検出コイル２４に起電力が発生し、バッテリー１５への充電処理が行われる。そして、整流回路２５，逆流防止ダイオード２６等により充電手段が構成される。
【００１６】
また、上記励磁コイル２０は図２に示すように、コ字状のコア２８の胴部周囲に所定ターン数だけ巻き付けてなり、そのコア２８とともに充電器１８の上面一端に設けられた凹所２９の内側面に沿って、コア２８の両先端２８ａが凹所２９側に位置するように充填されている。そして、その周囲は樹脂モールドされている。
【００１７】
一方、上記凹所２９内には、子機１０を充電器１８にセットした際に、その子機１０のスピーカーが内蔵された受話部分１０ａが挿入配置され、その受話部分１０ａ内に上記検出コイル２４が実装される。すなわち、この検出コイル２４もコ字状のコア３０の胴部周囲に所定ターン数だけ巻き付けてなり、このコア３０の先端３０ａが、上記励磁コイル２０を巻き付けたコア２８の先端２８ａが対向するように配置され、しかも、コア３０の周囲を覆うようにして金属板３２が配置され、磁気シールドされている。これにより、励磁コイル２０から発せられ、検出コイル２４で受ける磁界が、子機１０に実装される他の回路へ影響を与えないようにしている。
【００１８】
なお、具体的な構成は省略するが、バッテリー１５への過充電を防止するための所定の過充電防止回路や、子機１０を充電器１８から取り外したときに自動的に通信回線がつながる機能も備えている。
【００１９】
そして本発明では、上記整流回路２５の出力を分岐し検出手段たる比較器３２の一方の入力端子に入力するようにしている。また、比較器３２の他方の入力端子には基準電圧Ｖｓが印加されている。そして、整流回路２５の出力が基準電圧Ｖｓを越えると、比較器３２の出力がＨになり、マイク１１に接続される切断手段たる常閉スイッチ３４の接点を開くように調整されている。そして、常閉スイッチ３４が開くと、通信回路が切れる（スピーカー１２からマイク１１への回り込みがなくなる）ようになっている。
【００２０】
次に上記した実施例の作用について説明する。まず通常の通話状態の時には、子機１０と、充電器１８とが離れているため、励磁コイル２０から発せられる磁力が検出コイル２４を通過せず、電磁誘導もなくバッテリー１５への充電は行われない。そして、図示省略したが、子機１０内の各回路へはバッテリー１５から所定の経路を通って電力供給がされる。また、比較器３２の出力もＬであるので、常閉スイッチ３４の接点は閉じている。よって、公知の機構を用いて子機１０は図示省略の親機との間で通信が可能となり、内線通話或いは外線通話を行うことになる。
【００２１】
一方、所定の通話が終了後、子機１０を充電器１８上にセットしようとし、この時、完全にセットする前にある程度近づく（ハウリングを起こすような距離に近づく）と、励磁コイル２０から発せられる磁束が検出コイル２４を通り、整流回路２５の出力が、一定の電圧（Ｖｓ）以上になる。すると、その出力電圧を比較器３２が検出し、禁止信号（Ｈ）を出力し、常閉スイッチ３４の接点を開かせる。よって、マイク１１が回路から切り離され、スピーカー１２からの回り込みに伴うハウリング発生が抑制される。そして、基準電圧Ｖｓを適宜設定することにより、たとえ整流回路２５の出力がバッテリー１５を充電するには不十分であっても、上記禁止信号を発生することが可能となる。
【００２２】
なお、上記した実施例では、切断手段としてマイク１１の出力に直列接続した情勢スイッチ３４を用いた例について説明したが、本発明はこれに限ることなく、例えば比較器の出力（禁止信号）に基づいて通話回線自体が切断され（動作停止・電源オフ）るようにしてもよく、またハウリングを生じない程度にマイク１１の感度を低下させるようにしても良い。そして、マイク１１の感度を低下させるようにした場合には、例えば従来の方式と同様の機構により、子機を充電器にセットした際に自動的に通信回路を切断する機構を付設するのが望ましい。
【００２３】
また、上記した実施例では、コードレス電話の子機に対して適用した例について説明したが、本発明はこれに限ることなく、親機の送受話器もコードレスになっているような場合には、その親機に対しても適用することができ、さらには、携帯電話その他のコードレス通話装置に適用することができる。
【００２４】
【発明の効果】
以上のように、本発明に係るコードレス通話装置では、通信装置を充電器にセットしようとすると、完全にセットする前にある程度近づく（ハウリングを起こすような距離に近づく）と、励磁コイルから発せられる磁束に基づく電磁誘導により検出コイルに誘導起電力が発生するので、それを検出手段にて検出することにより、切断手段を動作させ、少なくとも音声検出手段の出力を切断することができるので、音声出力手段から音声検出手段側へ音が回り込むことがなくなり、ハウリングの発生を防止できる。
【００２５】
そして、誘導起電力は、内部バッテリーを充電するための機構を共用するようにしたため、構造が簡単かつ小型なものとなる。しかも、通話装置が充電器に近づいたのを検出できれば良いので、比較的離れていて検出コイルの両端に充電するには不十分な誘導起電力しか発生していなくても、接近しているか否かの検出はできるため、ハウリングを起こすような所定の距離に近づいたことを正確に検出するこができる。そして、特に検出手段として比較器を用いれば、その基準電圧を適宜設定することによりかかる効果を簡単に奏することができる。
【００２６】
さらに、バッテリーに対して充電するに際し、電磁誘導を利用したため、充電器並びに通信装置に充電端子を設ける必要がなく、露出部位がないので、錆やごみの付着等による接触不良を生じることがなく、確実に充電を行うことができる。
【図面の簡単な説明】
【図１】本発明に係るコードレス通話装置の一実施例であるコードレス電話の子機及び充電器を示す図である。
【図２】本実施例の子機と充電器の一部を示す破断断面図である。
【図３】従来の子機と充電器の一例を示す斜視図である。
【符号の説明】
１０  子機（コードレス通話装置）
１１  マイク（音声検出手段）
１２  スピーカー（音声出力手段）
１３  無線回路（通信手段）
１５  バッテリー
１８  充電器
２０  励磁コイル
２４  検出コイル
２５  整流回路（充電手段）
２６  逆流防止ダイオード（充電手段）
３２  比較器（検出手段）
３４  常閉スイッチ（切断手段）
【図１】
0003619536.tif 000002
【図２】
0003619536.tif 000003
【図３】
0003619536.tif 000004